【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
便座を昇降させる便座昇降装置と一緒に用いられ、トイレットペーパーで臀部を拭く臀部拭き取り装置であって、
前記トイレットペーパーを取り付けるための拭き取りアームと、
前記便座昇降部によって前記便座が上昇された際に生じる便器と前記便座との間隙を介して、前記便座の排便用開口から前記拭き取りアームに取り付けられた前記トイレットペーパーが露出するように、前記拭き取りアームを駆動させる拭き取りアーム駆動部とを備える、臀部拭き取り装置。
【請求項２】
トイレットペーパーで臀部を拭く臀部拭き取り装置であって、
便座を昇降させる便座昇降部と、
前記トイレットペーパーを取り付けるための拭き取りアームと、
前記便座昇降部によって前記便座が上昇された際に生じる便器と前記便座との間隙を介して、前記便座の排便用開口から前記拭き取りアームに取り付けられた前記トイレットペーパーが露出するように、前記拭き取りアームを駆動させる拭き取りアーム駆動部とを備える、臀部拭き取り装置。
【請求項３】
前記トイレットペーパーを巻き取るトイレットペーパー巻き取り部をさらに備え、
前記拭き取りアームは、前記トイレットペーパー巻き取り部によって巻き取られた前記トイレットペーパーをつかみ取ることによって、前記トイレットペーパーを取り付けることを特徴とする、請求項１又は２に記載の臀部拭き取り装置。
【請求項４】
前記トイレットペーパー巻き取り部は、
鉛直下方向に前記トイレットペーパーを送り出すトイレットペーパー送り出し部と、
前記トイレットペーパー送り出し部によって送り出された前記トイレットペーパーを筒状に巻き取る筒状巻き取り部とを含み、
前記拭き取りアームは、前記筒状巻き取り部によって筒状に巻き取られた前記トイレットペーパーをつかみ取ることを特徴とする、請求項３に記載の臀部拭き取り装置。
【請求項５】
前記拭き取りアームは、前記トイレットペーパーが巻き取られる前から、前記筒状巻き取り部の回転中心部に配置されており、
前記筒状巻き取り部は、前記拭き取りアームの外周を前記トイレットペーパーが覆うように、前記トイレットペーパーを筒状に巻き取り、
前記拭き取りアームは、外周に巻き取られた筒状の前記トイレットペーパーをつかみ取ることを特徴とする、請求項４に記載の臀部拭き取り装置。
【請求項６】
前記拭き取りアームは、少なくとも二つの挟み部材を含み、
前記拭き取りアームは、前記筒状巻き取り部が筒状に巻き取った前記トイレットペーパーの中心部分に、一方の前記挟み部材を挿入し、他方の前記挟み部材を前記トイレットペーパーの外部から挟むことによって、前記トイレットペーパーをつかみ取ることを特徴とする、請求項４に記載の臀部拭き取り装置。
【請求項７】
前記筒状巻き取り部は、複数の棒状部材を含み、
前記トイレットペーパー送り出し部は、前記複数の棒状部材の内側に、前記トイレットペーパーが垂れ下がるように、前記トイレットペーパーを送り出すことを特徴とする、請求項４に記載の臀部拭き取り装置。
【請求項８】
前記トイレットペーパー送り出し部は、回転するベルト部によって、前記トイレットペーパーを送り出すことを特徴とする、請求項４に記載の臀部拭き取り装置。
【請求項９】
前記拭き取りアーム駆動部は、サーボモータを有する少なくとも１つの関節部を含み、先端に前記拭き取りアームを取り付けることによって、前記拭き取りアームの動きを制御することを特徴とする、請求項１又は２に記載の臀部拭き取り装置。
【請求項１０】
前記拭き取りアーム駆動部は、拭き取り時、前記拭き取りアームが反復運動するように、前記拭き取りアームを駆動させることを特徴とする、請求項１又は２に記載の臀部拭き取り装置。
【請求項１１】
前記拭き取りアーム駆動部は、ユーザからの位置調整指示に応じて、前記拭き取りアームの位置を調整するように駆動させることを特徴とする、請求項１又は２に記載の臀部拭き取り装置。
【請求項１２】
前記位置調整指示に応じて前記少なくとも１つの関節部を駆動させたときの回動量に関する情報を記憶するための記憶部をさらに備え、
前記拭き取りアーム駆動部は、前記記憶部によって記憶されている前記情報に基づいて、前記少なくとも１つの関節部を駆動させることを特徴とする、請求項９に記載の臀部拭き取り装置。
【請求項１３】
前記拭き取りアーム駆動部は、前記拭き取りアームが前記排便用開口から露出している場合に、前記位置調整指示による制御を受け付けることを特徴とする、請求項１１に記載の臀部拭き取り装置。
【請求項１４】
前記便座昇降部は、
前記便座を昇降させるためのジャッキ部と、
前記ジャッキ部の動きによって、前記便座を持ち上げるための土台となる堅固部材とを含み、
前記堅固部材は、その全部又は一部が着脱可能であることを特徴とする、請求項２に記載の臀部拭き取り装置。
【請求項１５】
トイレットペーパーで臀部を拭く臀部拭き取り装置であって、
前記トイレットペーパーを取り付けるための拭き取りアームと、
前記臀部を拭き取る位置まで前記拭き取りアームを移動させる拭き取りアーム駆動部とを備えることを特徴とする、臀部拭き取り装置。
【請求項１６】
前記拭き取りアーム駆動部は、便器と便座との間隙を介して、前記拭き取りアームを移動させることを特徴とする、請求項１５に記載の臀部拭き取り装置。
【請求項１７】
前記拭き取りアームは、巻き取られた前記トイレットペーパーを取り付けることを特徴とする、１５又は１６に記載の臀部拭き取り装置。
【請求項１８】
前記トイレットペーパーを巻き取るトイレットペーパー巻き取り部をさらに備え、
前記拭き取りアームは、前記トイレットペーパー巻き取り部によって巻き取られた前記トイレットペーパーをつかみ取ることによって、前記トイレットペーパーを取り付けることを特徴とする、請求項１７に記載の臀部拭き取り装置。
【請求項１９】
前記トイレットペーパー巻き取り部は、
鉛直下方向に前記トイレットペーパーを送り出すトイレットペーパー送り出し部と、
前記トイレットペーパー送り出し部によって送り出された前記トイレットペーパーを筒状に巻き取る筒状巻き取り部とを含み、
前記拭き取りアームは、前記筒状巻き取り部によって筒状に巻き取られた前記トイレットペーパーをつかみ取ることを特徴とする、請求項１８に記載の臀部拭き取り装置。
【請求項２０】
前記拭き取りアームは、前記トイレットペーパーが巻き取られる前から、前記筒状巻き取り部の回転中心部に配置されており、
前記筒状巻き取り部は、前記拭き取りアームの外周を前記トイレットペーパーが覆うように、前記トイレットペーパーを筒状に巻き取り、
前記拭き取りアームは、外周に巻き取られた筒状の前記トイレットペーパーをつかみ取ることを特徴とする、請求項１９に記載の臀部拭き取り装置。
【請求項２１】
前記拭き取りアームは、少なくとも二つの挟み部材を含み、
前記拭き取りアームは、前記筒状巻き取り部が筒状に巻き取った前記トイレットペーパーの中心部分に、一方の前記挟み部材を挿入し、他方の前記挟み部材を前記トイレットペーパーの外部から挟むことによって、前記トイレットペーパーをつかみ取ることを特徴とする、請求項１９に記載の臀部拭き取り装置。
【請求項２２】
前記筒状巻き取り部は、複数の棒状部材を含み、
前記トイレットペーパー送り出し部は、前記複数の棒状部材の内側に、前記トイレットペーパーが垂れ下がるように、前記トイレットペーパーを送り出すことを特徴とする、請求項１９に記載の臀部拭き取り装置。
【請求項２３】
前記トイレットペーパー送り出し部は、回転するベルト部によって、前記トイレットペーパーを送り出すことを特徴とする、請求項１９に記載の臀部拭き取り装置。
【請求項２４】
さらに、前記拭き取りアーム駆動部の動作を制御する制御部を備え、
前記制御部は、前記拭き取りアーム駆動部に、前記トイレットペーパーが取り付けられている前記拭き取りアームを便座の排便用開口まで移動させ、前記臀部を前記拭き取りアームに拭き取らせ、前記拭き取りアームを元の位置まで戻させることを特徴とする、請求項１５又は１６に記載の臀部拭き取り装置。
【請求項２５】
前記制御部は、ユーザによって無線で制御されることを特徴とする、請求項２４に記載の臀部拭き取り装置。
【請求項２６】
さらに、前記拭き取りアーム駆動部の動作を制御する制御部を備え、
前記制御部は、ユーザからの指示に応じて、前記拭き取りアーム駆動部の動作を制御することを特徴とする、請求項１５又は１６に記載の臀部拭き取り装置。
【請求項２７】
ユーザからの指示に応じて制御された前記拭き取りアーム駆動部の動作を記憶する記憶部をさらに備え、
前記制御部は、前記記憶部に記憶されている情報に従って、前記拭き取りアーム駆動部の動作を制御することを特徴とする、請求項２６に記載の臀部拭き取り装置。
【請求項２８】
さらに、前記拭き取りアーム駆動部の動作を制御する制御部を備え、
前記制御部は、前記拭き取りアーム駆動部を制御して前記拭き取りアームに前記臀部を拭き取らせた後、再度、前記拭き取りアーム駆動部を制御して前記拭き取りアームに前記臀部を拭き取らせることを特徴とする、請求項１５又は１６に記載の臀部拭き取り装置。
【請求項２９】
前記制御部は、ユーザの指示に応じて、再度、前記拭き取りアーム駆動部を制御して前記拭き取りアームに前記臀部を拭き取らせることを特徴とする、請求項２８に記載の臀部拭き取り装置。
【請求項３０】
さらに、
前記拭き取りアーム駆動部の動作を制御する制御部と、
複数の指示スイッチ部とを備え、
前記制御部は、押下された指示スイッチ部に対応する動作を行うように、前記拭き取りアーム駆動部を制御することを特徴とする、請求項１５又は１６に記載の臀部拭き取り装置。
【請求項３１】
請求項１〜３０のいずれかに記載の臀部拭き取り装置を備える、温水洗浄便座又は温水洗浄便座付き便器。